(57)【要約】【課題】空調装置や加湿装置を用いて室内の側面の壁や窓が結露しないような加湿制御を行う加湿空調システムを提供する。【解決手段】室内の壁や窓に設置して少なくとも湿度を含む１種類以上の周辺の環境情報データＷＢを計測して送信するセンサー１ａ、１ｂと、加湿動作を行い少なくとも湿度を含む１種類以上の周辺の環境情報データＷＡを計測し前記センサーより受信した前記環境情報データＷＢとで比較して加湿動作の制御を行う加湿装置２とで構成する。【選択図】図１
2006329441.tif 000002
【特許請求の範囲】
【請求項１】
室内の壁や窓に設置して少なくとも湿度を含む１種類以上の周辺の環境情報データＷＢを計測して送信する１台以上のセンサーと、加湿動作を行い少なくとも湿度を含む１種類以上の周辺の環境情報データＷＡを計測し前記センサーより受信した前記環境情報データＷＢとで比較して加湿動作の制御を行う加湿装置とで構成する加湿空調システム。
【請求項２】
加湿装置の加湿動作の制御は、センサーより受信した湿度が前記加湿装置で計測した湿度に比べてあらかじめ定めた値以上高いと、加湿を中断する制御を行うことを特徴とする請求項１記載の加湿空調システム。
【請求項３】
室内の壁や窓に設置して少なくとも湿度を含む１種類以上の周辺の環境情報データＷＢを計測して送信する１台以上のセンサーと、少なくとも加湿を含み冷房・暖房・除湿などの少なくとも１つ以上の空調動作や送風制御を行い少なくとも湿度を含む１種類以上の周辺の環境情報データＷＡを計測して前記センサーより受信した前記環境情報データＷＢとで比較して空調動作や送風の制御を行う空調装置とで構成する加湿空調システム。
【請求項４】
空調装置の空調動作の制御は、センサーより受信した湿度が前記空調装置で計測した湿度に比べてあらかじめ定めた値以上高いと、加湿を中断して受信した前記センサーの方向に対して送風を行うことを特徴とする請求項３記載の加湿空調システム。
【請求項５】
室内の壁や窓に設置して少なくとも湿度を含む１種類以上の周辺の環境情報データＷＢを計測して送信する１台以上のセンサーと、加湿動作を行う加湿装置と、冷房・暖房・除湿などの１つ以上の空調動作や送風制御を行い少なくとも湿度を含む１種類以上の周辺の環境情報データＷＡを計測して前記センサーより受信した前記環境情報データＷＢとで比較して空調動作や送風の制御を行う空調装置とで構成する加湿空調システム。
【請求項６】
空調装置の空調動作の制御は、センサーより受信した湿度があらかじめ定めた値以上に高いと、受信した前記センサーの方向に送風方向を変更することを特徴とする請求項５記載の加湿空調システム。
【請求項７】
空調装置の空調動作の制御は、センサーより受信した湿度があらかじめ定めた値以上に高いと、受信した前記センサーの方向に対して温度を上げて送風を行うことを特徴とする請求項５記載の加湿空調システム。
【請求項８】
加湿制御を行う加湿装置と、冷房・暖房・除湿などの１つ以上の空調動作や送風制御を行う空調装置によって室内環境を制御する室内において、室内の壁や窓に設置して少なくとも湿度を含む１種類以上の周辺の環境情報データＷＢを計測して送信する１台以上のセンサーと、前記センサーより前記環境情報データＷＢを受信して制御指示を前記加湿装置および前記空調装置へ送信する制御管理装置とを備え、前記加湿装置は前記制御管理装置からの制御指示により加湿量を調整し、前記空調装置は前記制御管理装置からの制御指示により空調動作や送風の制御を行う加湿空調システム。
【請求項９】
制御管理装置から加湿装置への加湿動作の制御指示は、センサーより受信した湿度があらかじめ定めた値より高いと加湿を中断する制御を行うことを指示し、空調装置の空調動作の制御指示は、前記センサーより受信した湿度があらかじめ定めた値より高いと受信した前記センサーの方向に対して温度を上げて送風を行うことを指示することを特徴とする請求項８記載の加湿空調システム。
【請求項１０】
制御管理装置から加湿装置への加湿動作の制御指示や空調装置への空調動作の制御指示は、制御管理装置に通信回線を介して接続したサーバ装置の制御手順に従って行うことを特徴とする請求項８または９記載の加湿空調システム。
【請求項１１】
請求項８〜１０記載のいずれか１項記載の加湿空調システムにおいて制御管理装置の少なくとも一部をコンピュータに実行させるためのプログラム。
【発明の詳細な説明】
【技術分野】
【０００１】
本発明は、宅内で用いる空調システムで、特に暖房を行いながら加湿を行う加湿空調システムおよびそのプログラムに関するものである。
【背景技術】
【０００２】
たとえば、加湿装置によって部屋の加湿を行う場合、特に空調装置等による暖房中は屋内に比べて外気の温度が低いため、部屋の端や別の部屋の壁や窓では加湿装置の場所の温度より低くなり、加湿装置の場所の湿度があまり高くなくても壁や窓が結露することがある。
【０００３】
このため、空調装置の送風口に加湿装置を設け、この加湿装置と各部屋に設けた空気吹き出し口とをダクトで接続して、各部屋に吹き出された加湿した空気が、各部屋のドアのスリット等から廊下を通じて空調装置に戻されることで湿度を均一化する加湿空調システムが考案されている（たとえば特許文献１参照）。
【特許文献１】特開２００２−３４９９０３号公報
【発明の開示】
【発明が解決しようとする課題】
【０００４】
上記のように、空調装置をダクトで各部屋に接続して送風を行うことは、建物自体の大幅な改修が必要であり、さらに各部屋間の均一化を行ったとしても屋外との間の壁や窓際の湿度までも均一にすることは困難であるなどの問題がある。
【０００５】
本発明は、前記従来の課題を解決するもので、１つの部屋単位で独立した空調装置や加湿装置を用いて室内の側面の壁や窓が結露しないような加湿制御を行う加湿空調システムを提供することを目的とする。
【課題を解決するための手段】
【０００６】
前記従来の課題を解決するために、本発明の加湿空調システムは、室内の壁や窓に設置して少なくとも湿度を含む１種類以上の周辺の環境情報データＷＢを計測して送信する１台以上のセンサーと、加湿動作を行い少なくとも湿度を含む１種類以上の周辺の環境情報データＷＡを計測し前記センサーより受信した前記環境情報データＷＢとで比較して加湿動作の制御を行う加湿装置とで構成するものである。
【０００７】
これによって、センサー周辺の環境情報データを加湿装置で確認して加湿を制御することができる。
【発明の効果】
【０００８】
本発明の加湿空調システムおよびそのプログラムは、センサー周辺の環境情報データＷＢを加湿装置で確認して加湿を制御することによって、センサー周辺が結露しそうな状況になっている場合に湿度制御を行って結露を防ぐことができる。
【発明を実施するための最良の形態】
【０００９】
第１の発明は、室内の壁や窓に設置して少なくとも湿度を含む１種類以上の周辺の環境情報データＷＢを計測して送信する１台以上のセンサーと、加湿動作を行い少なくとも湿度を含む１種類以上の周辺の環境情報データＷＡを計測し前記センサーより受信した前記環境情報データＷＢとで比較して加湿動作の制御を行う加湿装置とで構成するものである。
【００１０】
そして、センサー周辺の環境情報データＷＢを加湿装置で確認して加湿を制御することによって、センサー周辺が結露しそうな状況になっている場合に湿度制御を行って結露を防ぐことができる。
【００１１】
第２の発明は、特に第１の発明における加湿装置の加湿動作の制御が、センサーより受信した湿度が前記加湿装置で計測した湿度に比べてあらかじめ定めた値以上高いと、加湿を中断する制御を行うことを特徴とするものである。
【００１２】
そして、センサー周辺の湿度ＷＢを加湿装置で確認して加湿を制御することによって、センサー周辺が結露しそうな湿度になっている場合に湿度制御を行って結露を防ぐことができる。
【００１３】
第３の発明は、室内の壁や窓に設置して少なくとも湿度を含む１種類以上の周辺の環境情報データＷＢを計測して送信する１台以上のセンサーと、少なくとも加湿を含み冷房・暖房・除湿などの少なくとも１つ以上の空調動作や送風制御を行い少なくとも湿度を含む１種類以上の周辺の環境情報データＷＡを計測して前記センサーより受信した前記環境情報データＷＢとで比較して空調動作や送風の制御を行う空調装置とで構成するものである。
【００１４】
そして、センサー周辺の環境情報データを空調装置で確認して空調動作や送風の制御を行うことによって、センサー周辺が結露しそうな状況になっている場合にセンサーの周辺の空気環境の制御を行って結露を防ぐことができる。
【００１５】
第４の発明は、特に第３の発明の空調装置の空調動作の制御が、センサーより受信した湿度が空調装置で計測した湿度に比べてあらかじめ定めた値以上高いと、加湿を中断して受信した前記センサーの方向に対して送風を行うことを特徴とするものである。
【００１６】
そして、センサー周辺の湿度ＷＢを空調装置で確認して空調動作や送風の制御を行うことによって、センサー周辺が結露しそうな状況になっている場合にセンサーの周辺の空気環境の制御を行って湿度を低下させて結露を防ぐことができる。
【００１７】
第５の発明は、室内の壁や窓に設置して少なくとも湿度を含む１種類以上の周辺の環境情報データＷＢを計測して送信する１台以上のセンサーと、加湿動作を行う加湿装置と、冷房・暖房・除湿などの１つ以上の空調動作や送風制御を行い少なくとも湿度を含む１種類以上の周辺の環境情報データＷＡを計測して前記センサーより受信した前記環境情報データＷＢとで比較して空調動作や送風の制御を行う空調装置とで構成するものである。
【００１８】
そして、センサー周辺の環境情報データＷＢを空調装置で確認して空調動作や送風の制御を行うことによって、センサー周辺が結露しそうな状況になっている場合にセンサーの周辺の空気環境の制御を行って結露を防ぐことができる。
【００１９】
第６の発明は、特に第５の発明の空調装置の空調動作の制御が、センサーより受信した湿度があらかじめ定めた値以上に高いと、受信した前記センサーの方向に送風方向を変更することを特徴とするものである。
【００２０】
そして、センサー周辺の湿度ＷＢを空調装置で確認して送風方向の制御を行うことによって、センサー周辺が結露しそうな状況になっている場合にセンサーの周辺へ送風を行って湿度を低下させて結露を防ぐことができる。
【００２１】
第７の発明は、特に第５の発明の空調装置の空調動作の制御が、センサーより受信した湿度があらかじめ定めた値以上に高いと、受信した前記センサーの方向に対して温度を上げて送風を行うことを特徴とするものである。
【００２２】
そして、センサー周辺の湿度ＷＢを空調装置で確認して空調動作や送風の制御を行うことによって、センサー周辺が結露しそうな状況になっている場合にセンサーの周辺の温度を上げることによって結露を防ぐことができる。
【００２３】
第８の発明は、加湿制御を行う加湿装置と、冷房・暖房・除湿などの１つ以上の空調動作や送風制御を行う空調装置によって室内環境を制御する室内において、室内の壁や窓に設置して少なくとも湿度を含む１種類以上の周辺の環境情報データＷＢを計測して送信する１台以上のセンサーと、前記センサーより前記環境情報データＷＢを受信して制御指示を前記加湿装置および前記空調装置へ送信する制御管理装置とを備え、前記加湿装置は前記制御管理装置からの制御指示により加湿量を調整し、前記空調装置は前記制御管理装置からの制御指示により空調動作や送風の制御を行うものである。
【００２４】
そして、センサー周辺の環境情報データＷＢを制御管理装置で確認して加湿装置および空調装置へ加湿動作や空調動作や送風の制御指示を行うことによって、センサー周辺が結露しそうな状況になっている場合にセンサーの周辺の空気環境の制御を行って結露を防ぐことができる。
【００２５】
第９の発明は、特に第８の発明の制御管理装置から加湿装置への加湿動作の制御指示が、センサーより受信した湿度があらかじめ定めた値より高いと加湿を中断する制御を行うことを指示し、空調装置の空調動作の制御指示が、前記センサーより受信した湿度があらかじめ定めた値より高いと受信した前記センサーの方向に対して温度を上げて送風を行うことを指示することを特徴するものである。
【００２６】
そして、センサー周辺の湿度ＷＢを制御管理装置で確認して加湿装置および空調装置へ加湿動作や空調動作や送風の制御を行うことによって、センサー周辺が結露しそうな状況になっている場合にセンサーの周辺の空気環境の制御を行って結露を防ぐことができる。
【００２７】
第１０の発明は、特に第８または第９の発明の制御管理装置から加湿装置への加湿動作の制御指示や空調装置の空調動作の制御指示が、制御管理装置に通信回線を介して接続したサーバ装置の制御手順に従って行うことを特徴とするものである。
【００２８】
そして、センサー周辺の環境情報データＷＢを制御管理装置で確認して制御管理装置に通信回線を介して接続したサーバ装置の制御手順に従って加湿装置および空調装置の加湿動作や空調動作や送風の制御指示を行うことによって、センサー周辺が結露しそうな状況になっている場合にセンサーの周辺の空気環境の制御を行って結露を防ぐことができる。
【００２９】
第１１の発明は、第８〜１０の発明において、制御管理装置の機能の少なくとも一部をコンピュータに実行させるためのプログラムである。そして、プログラムであるので、電気・情報機器、コンピュータ、サーバ等のハードリソースを協働させて本発明の制御管理装置の少なくとも一部を容易に実現することができる。また記録媒体に記録したり通信回線を用いてプログラムを配信したりすることでプログラムの配布・更新やそのインストール作業が簡単にできる。
【００３０】
以下、本発明の実施の形態について、図面を参照しながら説明する。なお、本実施の形態によって本発明が限定されるものではない。
【００３１】
（実施の形態１）
図１は、本発明の第１の実施の形態における加湿空調システムを示すものである。
【００３２】
図１において、センサー１は、少なくとも１種類以上の環境情報ＷＢ（例えば湿度）を計測して無線で送信し、加湿装置２は、加湿動作を行い環境情報ＷＡ（例えば湿度）を計測して、センサー１より受信した環境情報ＷＢとで比較して加湿動作の制御を行う。
【００３３】
なお、センサーは、複数設定してもよく、設置の位置は例えば、図２に示すようにセンサー１ａは窓、センサー１ｂは屋外に面した壁のように結露が心配な場所に設定する。
【００３４】
次に、以上のように構成された加湿空調システムについて図１、図２および図３の加湿装置２の制御の流れ図をもとに動作を説明する。
【００３５】
センサー１は、それぞれ間欠的（例えば５分毎）に設置位置の湿度ＷＢを計測し、湿度データＷＢを無線によって加湿装置２に対して送信する。
【００３６】
加湿装置２は、常時湿度を計測して、設定した湿度を保つように加湿動作を行っている。
【００３７】
加湿装置２は、周辺湿度ＷＡを計測し（Ｓ１）、設定湿度ＷＺより低く（Ｓ２のＹｅｓ）、センサー１より受信した（Ｓ３のＹｅｓ）湿度ＷＢが加湿装置２の周辺湿度ＷＡより２０％以上高いと（Ｓ４のＹｅｓ）、加湿動作を中断する（Ｓ５）。
【００３８】
そして、センサー１より受信した（Ｓ３のＹｅｓ）湿度ＷＢが加湿装置２の周辺湿度ＷＡより２０％未満の時は（Ｓ４のＮｏ）、加湿動作を行う（Ｓ６）。
【００３９】
また、加湿装置２は、周辺湿度ＷＡを計測し（Ｓ１）、設定湿度ＷＺより高いと（Ｓ２のＮｏ）、加湿動作を中断して（Ｓ５）、部屋が過湿状態になるのを防ぐ。
【００４０】
さらに、センサー１からの湿度を受信しない間（Ｓ３のＮｏ）は、何も変更せずに処理流れの最初に戻ることで、通信失敗等でセンサー１との通信間隔が開いても異常な制御を行うことはない。
【００４１】
以上のように、加湿装置２の周囲の環境情報ＷＡとセンサー１の計測した環境情報ＷＢとに応じて加湿装置２の加湿動作の制御を行うことで、例えば、センサー１の周辺の温度が下がって湿度が上昇すると加湿装置２で加湿動作を中断するので、センサー１の周辺での湿度がそれ以上急速に高くなることがなく結露を防ぐことができる。
【００４２】
なお、本実施の形態では、センサー１および加湿装置２の測定・送受信データを湿度のみとしたが、湿度の他に湿度の変化量や温度、温度の変化量などの１種類以上の周辺の環境情報データを測定して送受信することとすれば、加湿装置２において各環境情報データを受信して、より正確にセンサー１周辺での湿度制御を行うことができる。例えば、湿度差が急激に上昇している場合や温度差が急激に低下している場合は結露する可能性が高いので、この場合に加湿動作を中断する制御を行うことでより結露を防ぐことができる。
【００４３】
なお、図３のＳ４の判断値２０％は一例であってこれに限らない。
【００４４】
また、図２のように複数のセンサー１ａ、１ｂを設置した場合は、すべてのセンサーより受信した湿度データの内で最も高いものを湿度ＷＢとして動作することとすれば、すべてのセンサー位置での湿度を結露しない程度に制御できる。
【００４５】
（実施の形態２）
図４は、本発明の第２の実施の形態における加湿空調システムを示すものである。
【００４６】
第１の実施の形態との違いは、加湿装置２の代わりに、加湿・冷房・暖房の空調動作や送風制御を行い少なくとも１種類以上の環境情報（例えば温度および湿度）ＷＡを計測して、センサー１より受信した環境情報ＷＢとで比較して空調動作や送風の制御を行う空調装置３を備えていることで、設置の位置は例えば、図５に示すように空調装置３は壁に設置する。
【００４７】
次に、以上のように構成された加湿空調システムについて図４、図５および図６の空調装置３の制御の流れ図をもとに動作を説明する。
【００４８】
センサー１は、それぞれ間欠的（例えば５分毎）に設置位置の湿度ＷＢを計測し、湿度データＷＢを無線によって空調装置３に対して送信する。
【００４９】
空調装置３は、常時温度および湿度を計測して室内が設定した温度および湿度を保つように、室内に温度や湿度を調整した送風したり送風の向きを変えたりすることで暖房・冷房・加湿動作を行っている。
【００５０】
空調装置３は、周辺湿度ＷＡを計測し（Ｓ１）、設定湿度ＷＺより低く（Ｓ２のＹｅｓ）、センサー１より受信した（Ｓ３のＹｅｓ）湿度ＷＢが空調装置３の周辺湿度ＷＡより２０％以上高いと（Ｓ４のＹｅｓ）、センサー１方向へ送風の向きを変えて（Ｓ７）加湿動作を中断する（Ｓ５）。
【００５１】
そして、センサー１より受信した（Ｓ３のＹｅｓ）湿度ＷＢが空調装置３の周辺湿度ＷＡより２０％未満の時は（Ｓ４のＮｏ）、加湿動作を行って（Ｓ６）通常方向への送風を行い通常の空調動作になる（Ｓ８）。
【００５２】
また、空調装置３は、周辺湿度ＷＡを計測し（Ｓ１）、設定湿度ＷＺより高いと（Ｓ２のＮｏ）、加湿動作を中断して（Ｓ５）、部屋が過湿状態になるのを防ぐ。
【００５３】
さらに、センサー１からの湿度を受信しない間（Ｓ３のＮｏ）は、何も変更せずに処理流れの最初に戻ることで、通信失敗等でセンサー１との通信間隔が開いても異常な制御を行うことはない。
【００５４】
図５の流れ図では湿度制御に関してのみ示したが、空調装置３はもちろん周辺温度を計測して設定温度にするための温度制御も行っている。
【００５５】
以上のように、空調装置３の周囲の環境情報ＷＡとセンサー１の計測した環境情報ＷＢに応じて空調装置３の加湿動作の制御を行うことで、例えば、センサー１の周辺の温度が下がって湿度が上昇すると空調装置３で加湿動作を中断してセンサー１の周辺へ送風するので、センサー１の周辺での空気の流れを良くして湿度を下げることで結露を防ぐことができる。
【００５６】
なお、センサー１の位置は、あらかじめ空調装置３に設定（空調装置３の風向の調整できる範囲で上下左右の向きを設定）しておいたり、センサー１と空調装置３との通信を赤外線通信や指向性の高い無線通信を用いることにより、空調装置３にセンサー１からのデータの受信するための上下左右に位置する複数の受信部を持ったり、１つの受信部で上下左右に捜査してセンサー１からのデータを受信することでセンサー１の位置を検出することとすれば、必要時にセンサー１の方向へ送風する制御を行うことができる。
【００５７】
なお、本実施の形態では、センサー１の測定・送信データを湿度のみとしたが、湿度の他に湿度の変化量や温度、温度の変化量などの１種類以上の周辺の環境情報データを測定して送信することとすれば、空調装置３において各環境情報データを受信して、より正確にセンサー１周辺での湿度制御を行うことができる。例えば、湿度差が急激に上昇している場合や温度差が急激に低下している場合は結露する可能性が高いので、この場合に加湿動作を中断してセンサー１の周辺へ送風する制御を行うことでより結露を防ぐことができる。
【００５８】
なお、図６のＳ４の判断値２０％は一例であってこれに限らない。
【００５９】
また、図２のように複数のセンサーを設置した場合は、すべてのセンサーより受信した湿度データの内で最も高いものを湿度ＷＢとして動作することとすれば、すべてのセンサー位置での湿度を結露しない程度に制御できる。
【００６０】
（実施の形態３）
図７は、本発明の第３の実施の形態における加湿空調システムを示すものである。
【００６１】
第１の実施の形態との違いは、空調装置３が、冷房・暖房の空調動作や送風制御を行い少なくとも１種類以上の環境情報（例えば湿度および温度）ＷＡを計測して、センサー１より受信した環境情報ＷＢとで比較して空調動作や送風の制御を行うことで、図８の各装置の設置例に示すように、加湿装置２は空調装置３と別の場所に設置して加湿動作を行う。
【００６２】
次に、以上のように構成された加湿空調システムについて図７、図８および図９の空調装置３の制御の流れ図をもとに動作を説明する。
【００６３】
センサー１は、それぞれ間欠的（例えば５分毎）に設置位置の湿度ＷＢを計測し、湿度データＷＢを無線によって空調装置３に対して送信する。
【００６４】
空調装置３は、常時温度を計測して室内が設定した温度を保つように、室内に温度を調整した送風をすることで暖房・冷房動作を行っている。
【００６５】
空調装置３は、周辺湿度ＷＡを計測し（Ｓ１）、センサー１より受信した（Ｓ３のＹｅｓ）湿度ＷＢが空調装置３の周辺湿度ＷＡより２０％以上高いと（Ｓ４のＹｅｓ）、センサー１方向へ送風の向きを変える（Ｓ７）。
【００６６】
そして、センサー１より受信した（Ｓ３のＹｅｓ）湿度ＷＢが空調装置３の周辺湿度ＷＡより２０％未満の時は（Ｓ４のＮｏ）、通常方向への送風を行い通常の空調動作になる（Ｓ８）。
【００６７】
また、センサー１からの湿度を受信しない間（Ｓ３のＮｏ）は、何も変更せずに処理流れの最初に戻ることで、通信失敗等でセンサー１との通信間隔が開いても異常な制御を行うことはない。
【００６８】
加湿装置２は、周辺湿度を計測しながら加湿動作を行って設定湿度を保つように動作する。
【００６９】
図９の流れ図では湿度による送風制御に関してのみ示したが、空調装置３はもちろん周辺温度を計測して設定温度にするための温度制御も行っている。
【００７０】
以上のように、空調装置３の周囲の環境情報ＷＡとセンサー１の計測した環境情報ＷＢに応じて空調装置３の送風動作の制御を行うことで、例えば、センサー１の周辺の温度が下がって湿度が上昇すると空調装置３でセンサー１の周辺へ送風するので、センサー１の周辺での空気の流れを良くして湿度を下げることで結露を防ぐことができる。
【００７１】
なお、本実施の形態では、センサー１の測定・送信データを湿度のみとしたが、湿度の他に湿度の変化量や温度、温度の変化量などの１種類以上の周辺の環境情報データを測定して送信することとすれば、空調装置３において各環境情報データを受信して、より正確にセンサー１周辺での湿度制御を行うことができる。例えば、湿度差が急激に上昇している場合や温度差が急激に低下している場合は結露する可能性が高いので、この場合にセンサー１の周辺へ送風する制御を行うことでより結露を防ぐことができる。
【００７２】
さらに、本実施の形態では、センサー１方向へ温度を上げて送風を行うことでセンサー周辺の湿度を下げるようにしたが、図１０の流れ図に示すように、湿度ＷＢが空調装置３の周辺湿度ＷＡより２０％以上高いと（Ｓ４のＹｅｓ）、センサー１方向へ温度を上げて送風を行う（Ｓ９）こととすれば、さらに湿度を急速に下げることができるのでより結露を防ぐことができる。
【００７３】
なお、図９、図１０のＳ４の判断値２０％は一例であってこれに限らない。
【００７４】
（実施の形態４）
図１１は、本発明の第４の実施の形態における加湿空調システムを示すものである。
【００７５】
第３の実施の形態との違いは、加湿装置２が、加湿動作を行い少なくとも１種類以上の環境情報（例えば湿度）ＷＡを計測して、センサー１より受信した環境情報ＷＢとで比較して加湿動作の制御を行うことで、各装置の設置例は、第３の実施の形態と同様の図８で示される。また、加湿装置２および空調装置３の制御の流れもそれぞれ図３および図９に示したもので行う。
【００７６】
次に、以上のように構成された加湿空調システムについて図１１、図８および図３の加湿装置２の制御の流れ図と図９の空調装置３の制御の流れ図をもとに動作を説明する。
【００７７】
センサー１は、それぞれ間欠的（例えば５分毎）に設置位置の湿度ＷＢを計測し、湿度データＷＢを無線によって加湿装置２および空調装置３に対して送信する。
【００７８】
加湿装置２は、常時湿度を計測して、設定した湿度を保つように加湿動作を行っている。
【００７９】
加湿装置２は、周辺湿度ＷＡを計測し（Ｓ１）、設定湿度ＷＺより低く（Ｓ２のＹｅｓ）、センサー１より受信した（Ｓ３のＹｅｓ）湿度ＷＢが加湿装置２の周辺湿度ＷＡより２０％以上高いと（Ｓ４のＹｅｓ）、加湿動作を中断する（Ｓ５）。
【００８０】
そして、センサー１より受信した（Ｓ３のＹｅｓ）湿度ＷＢが加湿装置２の周辺湿度ＷＡより２０％未満の時は（Ｓ４のＮｏ）、加湿動作を行う（Ｓ６）。
【００８１】
また、加湿装置２は、周辺湿度ＷＡを計測し（Ｓ１）、設定湿度ＷＺより高いと（Ｓ２のＮｏ）、加湿動作を中断して（Ｓ５）、部屋が過湿状態になるのを防ぐ。
【００８２】
さらに、センサー１からの湿度を受信しない間（Ｓ３のＮｏ）は、何も変更せずに処理流れの最初に戻ることで、通信失敗等でセンサー１との通信間隔が開いても異常な制御を行うことはない。
【００８３】
空調装置３は、常時温度を計測して室内が設定した温度を保つように、室内に温度を調整した送風をすることで暖房・冷房動作を行っている。
【００８４】
空調装置３は、周辺湿度ＷＡを計測し（Ｓ１）、センサー１より受信した（Ｓ３のＹｅｓ）湿度ＷＢが空調装置３の周辺湿度ＷＡより２０％以上高いと（Ｓ４のＹｅｓ）、センサー１方向へ送風の向きを変える（Ｓ７）。
【００８５】
そして、センサー１より受信した（Ｓ３のＹｅｓ）湿度ＷＢが空調装置３の周辺湿度ＷＡより２０％未満の時は（Ｓ４のＮｏ）、通常方向への送風を行い通常の空調動作になる（Ｓ８）。
【００８６】
また、センサー１からの湿度を受信しない間（Ｓ３のＮｏ）は、何も変更せずに処理流れの最初に戻ることで、通信失敗等でセンサー１との通信間隔が開いても異常な制御を行うことはない。
【００８７】
図９の流れ図では湿度による送風制御に関してのみ示したが、空調装置３はもちろん周辺温度を計測して設定温度にするための温度制御も行っている。
【００８８】
以上のように、加湿装置２および空調装置３の周囲の環境情報ＷＡとセンサー１の計測した環境情報ＷＢに応じて加湿装置２の加湿動作の制御および空調装置３の送風動作の制御を行うことで、例えば、センサー１の周辺の温度が下がって湿度が上昇すると加湿装置２は加湿を中断し、空調装置３はセンサー１の周辺へ送風するので、センサー１の周辺での空気の流れを良くして湿度を下げることで結露を防ぐことができる。
【００８９】
なお、本実施の形態では、センサー１の測定・送信データを湿度のみとしたが、湿度の他に湿度の変化量や温度、温度の変化量などの１種類以上の周辺の環境情報データを測定して送信することとすれば、加湿装置２および空調装置３において各環境情報データを受信して、より正確にセンサー１周辺での湿度制御を行うことができる。例えば、湿度差が急激に上昇している場合や温度差が急激に低下している場合は結露する可能性が高いので、この場合に加湿を中断したりセンサー１の周辺へ送風する制御を行うことでより結露を防ぐことができる。
【００９０】
（実施の形態５）
図１２は、本発明の第５の実施の形態における加湿空調システムを示すものである。
【００９１】
第４の実施の形態との違いは、センサー１より環境情報（例えば湿度）を受信して制御指示を加湿装置２および空調装置３へ制御指示を送信する制御管理装置４を備えることである。
【００９２】
各装置の設置例は、図１３で示されるように各装置は独立して設置され、それぞれの通信は無線で行われる。
【００９３】
次に、以上のように構成された加湿空調システムについて図１２、図１３および図１４の制御管理装置４の制御の流れ図をもとに動作を説明する。
【００９４】
センサー１は、それぞれ５分毎に設置位置の湿度ＷＢを計測し、湿度データＷＢを無線によって制御管理装置４に対して送信する。
【００９５】
制御管理装置４は、センサー１より湿度データＷＢを受信すると、受信した湿度データＷＢがあらかじめ定めた第１の値（例えば６５％）以上になった場合には（Ｓ１０）、空調装置３に対してセンサー１の方向へ送風を行う送風指示を送信する（Ｓ１１）。また、あらかじめ定めた第２の値（例えば７０％）以上になった場合には（Ｓ１２）、加湿装置２に対して加湿中断指示を送信する（Ｓ１３）。また、あらかじめ定めた第３の値（例えば７５％）以上になった場合には（Ｓ１４）、空調装置３に対してセンサー１の方向へ現在の設定温度より温度を上げた暖房送風を行う高温送風指示を送信する（Ｓ１５）。
【００９６】
また、受信した湿度データＷＢがあらかじめ定めた第４の値（例えば６０％）以下になった場合には（Ｓ１６）、空調装置３に対してセンサー１の方向へ現在の設定温度より温度を上げた暖房動作を中止するために高温送風中止指示を送信する（Ｓ１７）。また、あらかじめ定めた第５の値（例えば５５％）以下になった場合には（Ｓ１８）、加湿装置２に対して加湿を再開するために加湿許可指示を送信する（Ｓ１９）。また、あらかじめ定めた第３の値（例えば５０％）以下になった場合には（Ｓ２０）、空調装置３に対してセンサー１の方向へ送風を中止するために送風中止指示を送信する（Ｓ２１）。
【００９７】
加湿装置２は、常時湿度を計測して、設定した湿度を保つように加湿動作を行っており、周辺湿度が設定湿度より低くても、制御管理装置４より受信した指示が加湿中断指示である場合、加湿動作を中断する。そして、制御管理装置４より受信した指示が加湿許可指示である場合、通常の加湿動作を行う。また、加湿装置２は、周辺湿度が設定湿度より高いと、加湿動作を中断して部屋が過湿状態になるのを防ぐ。
【００９８】
空調装置３は、常時温度を計測して室内が設定した温度を保つように、室内に温度を調整した送風をすることで暖房・冷房動作を行っており、制御管理装置４より受信した指示が送風指示である場合、センサー１方向へ送風の向きを変える。そして、制御管理装置４より受信した指示が送風中止指示である場合、通常方向への送風を行い通常の空調動作になる。制御管理装置４より受信した指示が高温送風指示である場合、センサー１方向へ現在の設定温度より温度を上げた暖房送風を行う。そして、制御管理装置４より受信した指示が高温送風中止指示である場合、通常方向への送風を行い通常の空調動作になる。
【００９９】
以上のように、センサー１の計測した環境情報ＷＢに応じて制御管理装置４からの指示に従って加湿装置２の加湿動作の制御および空調装置３の送風動作の制御を行うことで、例えば、センサー１の周辺の温度が下がって湿度が上昇すると加湿装置２による加湿の中断や空調装置３によるセンサー１の周辺への送風などにより、センサー１の周辺での空気の流れを良くして湿度を下げることで結露を防ぐことができる。
【０１００】
なお、本実施の形態では、センサー１の測定・送信データを湿度のみとしたが、湿度の他に湿度の変化量や温度、温度の変化量などの１種類以上の周辺の環境情報データを測定して送信することとすれば、制御管理装置４において各環境情報データを受信して、より正確にセンサー１周辺での湿度制御を行うことができる。例えば、湿度が急激に上昇している場合や温度が急激に低下している場合は結露する可能性が高いので、この場合に加湿を中断したりセンサー１の周辺へ送風する制御を行うことでより結露を防ぐことができる。
【０１０１】
また、本実施の形態では、制御管理装置４が単独で制御内容を判断して加湿装置２や空調装置３の制御を行うこととしたが、図１５に示すように制御管理装置４をインターネット５などの通信回線を介してサーバ６と接続して通信を行い、サーバ６のプログラムによって加湿装置２や空調装置３の制御内容を判断することとすれば、制御管理装置４の動作が簡単になり、サーバ６のプログラムによって各住宅に最適な設定を選ぶことも可能になる。また、サーバ６よりプログラムや判断基準となる湿度データ等を制御管理装置４へダウンロードして、制御管理装置４の動作を常に住宅に最適な制御を行えるようにすることもできる。
【０１０２】
また、各実施の形態ではセンサー１は間欠的に設置位置の湿度ＷＢを計測することとしたが、計測した環境データの状況（例えば、湿度が急激に上昇している場合や温度が急激に低下している場合）には連続モードで計測してその計測データの無線送信の間隔も短くすることとすれば、より細かく環境変化を把握できるため、加湿装置２や空調装置３のより細かな制御を行うことによって結露を防ぐことができる。
【０１０３】
また、センサー１で計測した湿度ＷＢがあらかじめ定めた値以上の時には、センサー１からの湿度ＷＢを受信する制御管理装置４やサーバ６よりセンサー１で湿度ＷＢを計測する間欠時間の変更をセンサー１へ送信することとすれば、学習を行って湿度等の傾向判断してより結露しにくくするなど環境により最適に結露を防ぐようにすることができる。
【０１０４】
たとえば、本実施の形態で説明した制御管理装置４の制御の流れ図を、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【０１０５】
また、サーバ６と制御管理装置４との通信回線での通信はモデムを搭載し電話回線を介したダイアリングによってプロバイダに接続し、プロバイダのダイアルアップ接続によってインターネットに接続する方法でもよいし、接続する回線は電話回線（アナログ）である必要はなくＩＳＤＮ等のデジタル回線でもよい。またダイアルアップ接続でなく、ＡＤＳＬ、ＣＡＴＶ、光ファイバーを用いた常時接続であってもよい。無線ＬＡＮ、ＰＨＳなどの無線通信網であってもよい。
【０１０６】
また、各実施の形態において、センサー１と各装置の通信を無線で行うこととしたが、屋内の１室内での通信であるため、テレメータ・テレコントロール等で用いる特定小電力無線やＢｌｕｅｔｏｏｔｈ（登録商標）、無線ＬＡＮなどの電波を使用する他に赤外線を利用したＩｒＤＡなどを用いてもよい。
【産業上の利用可能性】
【０１０７】
本発明の加湿空調システムおよびそのプログラムは、加湿中の室内の壁や窓の結露を防ぐことができるので、住宅における適切な加湿を行いながら室内に結露を発生させないための加湿空調システムに適用できる。
【図面の簡単な説明】
【０１０８】
【図１】本発明の実施の形態１における加湿空調システムの構成図
【図２】本発明の実施の形態１における加湿空調システムの各装置の設置例を示す図
【図３】本発明の実施の形態１における加湿装置２の制御の流れを示す図
【図４】本発明の実施の形態２における加湿空調システムの構成図
【図５】本発明の実施の形態２における加湿空調システムの各装置の設置例を示す図
【図６】本発明の実施の形態２における空調装置３の制御の流れを示す図
【図７】本発明の実施の形態３における加湿空調システムの構成図
【図８】本発明の実施の形態３における加湿空調システムの各装置の設置例を示す図
【図９】本発明の実施の形態３における空調装置３の制御の流れを示す図
【図１０】本発明の実施の形態３における空調装置３の制御の流れを示す図
【図１１】本発明の実施の形態４における加湿空調システムの構成図
【図１２】本発明の実施の形態５における加湿空調システムの構成図
【図１３】本発明の実施の形態５における加湿空調システムの各装置の設置例を示す図
【図１４】本発明の実施の形態５における制御管理装置４の制御の流れを示す図
【図１５】本発明の実施の形態５における加湿空調システムの構成図
【符号の説明】
【０１０９】
１ａ、１ｂ  センサー
２  加湿装置
３  空調装置
４  制御管理装置
５  インターネット
６  サーバ
【図１】
2006329441.tif 000003
【図２】
2006329441.tif 000004
【図３】
2006329441.tif 000005
【図４】
2006329441.tif 000006
【図５】
2006329441.tif 000007
【図６】
2006329441.tif 000008
【図７】
2006329441.tif 000009
【図８】
2006329441.tif 000010
【図９】
2006329441.tif 000011
【図１０】
2006329441.tif 000012
【図１１】
2006329441.tif 000013
【図１２】
2006329441.tif 000014
【図１３】
2006329441.tif 000015
【図１４】
2006329441.tif 000016
【図１５】
2006329441.tif 000017